(57)【要約】      （修正有）【課題】着脱や交換作業を短時間で行うことができるシートを提供する。【解決手段】広告シート１は、左右の縦枠１０３間に上側パイプ１０１および下側パイプ１０２を配置して構成された支持体１００に紐状部材１２０を介して取り付けられ、シート部材２と、スライドファスナー３，４とを備える。スライドファスナー３，４は、第一エレメント列３１２，４１２を有した第一ファスナーストリンガー３１，４１と、第二エレメント列３２２，４２２を有した第二ファスナーストリンガー３２，４２と、第一エレメント列３１２，４１２および第二エレメント列３２２，４２２に取り付けられたスライダー３３，４３とを備える。第一ファスナーストリンガー３１，４１には、その長手方向に沿って配置された複数のハトメ７が設けられており、第二ファスナーストリンガー３２，４２は、シート部材２の縁部２１，２２に沿って取り付けられている。【選択図】図１
0003210143.tif 000002
【実用新案登録請求の範囲】
【請求項１】
第一エレメント列（３１２，４１２）を有した第一ファスナーストリンガー（３１，４１）と、第二エレメント列（３２２，４２２）を有した第二ファスナーストリンガー（３２，４２）と、前記第一エレメント列（３１２，４１２）および前記第二エレメント列（３２２，４２２）に連結されたスライダー（３３，４３）とを備え、
前記第一ファスナーストリンガー（３１，４１）のみに、その長手方向に沿って配置された複数の環状部材（７）が設けられていることを特徴とするスライドファスナー。
【請求項２】
前記第一ファスナーストリンガー（３１，４１）は、前記第一エレメント列（３１２，４１２）が取り付けられた第一テープ（３１１，４１１）と、前記第一テープ（３１１，４１１）に取り付けられた当布（３１４，４１４）とを備え、
前記複数の環状部材（７）は、前記当布（３１４，４１４）に設けられていることを特徴とする請求項１に記載のスライドファスナー。
【請求項３】
前記第一ファスナーストリンガー（３１，４１）は、前記第一エレメント列（３１２，４１２）が取り付けられた第一テープ（３１１，４１１）を備え、
前記複数の環状部材（７）は、前記第一テープ（３１１，４１１）に設けられており、
前記第一テープ（３１１，４１１）の幅（Ｄ１）は、前記環状部材（７）の直径（Ｄ２）の２倍以下であることを特徴とする請求項１に記載のスライドファスナー。
【請求項４】
前記第一ファスナーストリンガー（３１，４１）および前記第二ファスナーストリンガー（３２，４２）のうち、一方には箱棒および箱体（３１６，４２６）が設けられており、他方には蝶棒（３２６，４１６）が設けられていることを特徴とする請求項１に記載のスライドファスナー。
【請求項５】
前記第二ファスナーストリンガー（３２，４２）には、高周波溶着用のフィルム（４２７）が設けられていることを特徴とする請求項１から請求項４のいずれか一項に記載のスライドファスナー。
【請求項６】
シート部材（２）と、請求項１から請求項５のいずれか一項に記載のスライドファスナー（３，４）とを備え、
前記スライドファスナー（３，４）の前記第二ファスナーストリンガー（３２，４２）は、前記シート部材（２）の縁部（２１，２２）に沿って取り付けられていることを特徴とするシート。
【請求項７】
前記シート部材（２）が正面視矩形状であり、前記第二ファスナーストリンガー（３２，４２）は、前記シート部材（２）の少なくとも２辺に取り付けられていることを特徴とする請求項６に記載のシート。
【請求項８】
シート部材（２）と、前記シート部材（２）の外周の一部に取り付けられたファスナーストリンガー（３２，４２）とを備えることを特徴とするシート本体部。
【考案の詳細な説明】
【技術分野】
【０００１】
本考案は、スライドファスナー、シート本体部およびシートに関する。
【背景技術】
【０００２】
従来、宣伝広告用として活用される布製の横断幕や懸垂幕（シート）が知られている（例えば特許文献１参照）。このようなシートの縁部には、複数の孔が形成されており、これらの孔にはハトメが設けられている。シートは、ハトメに紐を通して構造物に取り付けられる。
【先行技術文献】
【特許文献】
【０００３】
【特許文献１】特開２０００−３２２０１５号公報
【考案の概要】
【考案が解決しようとする課題】
【０００４】
ところで、特許文献１に記載のシートでは、当該シートを紐によって構造物に取り付けるたびに、複数のハトメに紐を通して結ぶ作業が繰り返される。また、当該シートを構造物から取り外すたびに、紐をほどいて複数のハトメから抜きとる作業が繰り返される。このため、シートの着脱や交換の作業に長時間を要する。
なお、前述した横断幕や懸垂幕に限らず、シート自体にハトメが設けられた各種シートでも同様に、着脱や交換作業に長時間を要する。
【０００５】
本考案の目的は、シートの着脱や交換作業を短時間で行うことができるスライドファスナー、シート本体部およびシートを提供することにある。
【課題を解決するための手段】
【０００６】
本考案のスライドファスナーは、第一エレメント列を有した第一ファスナーストリンガーと、第二エレメント列を有した第二ファスナーストリンガーと、前記第一エレメント列および前記第二エレメント列に連結されたスライダーとを備え、前記第一ファスナーストリンガーのみに、その長手方向に沿って配置された複数の環状部材が設けられていることを特徴とする。
【０００７】
本考案のスライドファスナーによれば、第二ファスナーストリンガーをシート部材の縁部に沿って取り付けて、シート部材およびスライドファスナーを備えたシートを構成した場合には、環状部材に紐等を通してパイプ等の支持体に取り付けた後、シート部材を着脱または交換するために、紐等に対する作業が不要になる。すなわち、スライダーをスライドさせることによって、第一エレメント列と第二エレメント列とが互いに噛合または分離するため、シート部材を簡単に着脱または交換できる。よって、着脱は交換のたびに紐等を結んだりほどいたりするよりも、シートの着脱や交換作業を短時間で行うことができる。
【０００８】
本考案のスライドファスナーでは、前記第一ファスナーストリンガーは、前記第一エレメント列が取り付けられた第一テープと、前記第一テープに取り付けられた当布とを備え、前記複数の環状部材は、前記当布に設けられていることが好ましい。
このような構成によれば、スライダーがスライドするために好適な柔軟性を第一テープに確保しつつ、環状部材を設けるために好適な強度を当布に確保することができる。また、本考案のスライドファスナーを用いて構成したシートを支持体に取り付ける際の強度を向上させることができる。
【０００９】
本考案のスライドファスナーでは、前記第一ファスナーストリンガーは、前記第一エレメント列が取り付けられた第一テープを備え、前記複数の環状部材は、前記第一テープに設けられており、前記第一テープの幅は、前記環状部材の直径の２倍以下であってもよい。
このような構成によれば、第一ファスナーストリンガーの幅を狭く収めることができるため、本考案のスライドファスナーを用いて構成したシートにおいて、シート部材の割合を大きくとることができる。
【００１０】
本考案のスライドファスナーでは、前記第一ファスナーストリンガーおよび前記第二ファスナーストリンガーのうち、一方には箱棒および箱体が設けられており、他方には蝶棒が設けられていることが好ましい。
このような構成によれば、箱棒、箱体および蝶棒は、本発明のスライドファスナーの開具を構成するため、第一エレメント列と第二エレメント列との噛合または分離を好適に行うことができる。
【００１１】
本考案のスライドファスナーでは、前記第二ファスナーストリンガーには、高周波溶着用のフィルムが設けられていてもよい。
このような構成によれば、第二ファスナーストリンガーをシート部材に溶着させることで、縫製する場合と比べて、第二ファスナーストリンガーのシート部材への取り付け作業を短時間で行うことができる。
【００１２】
本考案のシートは、シート部材と、前述した本考案のスライドファスナーとを備え、前記スライドファスナーの前記第二ファスナーストリンガーは、前記シート部材の縁部に沿って取り付けられていることを特徴とする。
本考案のシートによれば、前述した本考案のスライドファスナーの作用効果と同様の作用効果を発揮できるシートを構成できる。
【００１３】
本考案のシートでは、前記シート部材が正面視矩形状であり、前記第二ファスナーストリンガーは、前記シート部材の少なくとも２辺に取り付けられていてもよい。
このような構成によれば、本発明のシートが広告シートや養生シートとして汎用性の高い形状を有しつつ、その取り付け強度を確保することができる。
【００１４】
本考案のシート本体部は、シート部材と、前記シート部材の外周の一部に取り付けられたファスナーストリンガーとを備えることを特徴とする。
このような構成によれば、支持体に取り付けられる他のファスナーストリンガーを用いることで、前述した本考案のスライドファスナーの作用効果と同様の作用効果を発揮できる。
【考案の効果】
【００１５】
本考案によれば、シートの着脱や交換作業を短時間で行うことができるスライドファスナー、シート本体部およびシートを提供することができる。
【図面の簡単な説明】
【００１６】
【図１】本考案の実施形態に係る広告シートおよび支持体を示す正面図。
【図２】前記実施形態に係る広告シートの分離状態を示す正面図。
【図３】前記実施形態に係る広告シートの要部を拡大して示す説明図。
【図４】本考案の変形例に係るスライドファスナーを示す説明図。
【考案を実施するための形態】
【００１７】
［本実施形態の構成］
以下、本考案の実施形態を図面に基づいて説明する。
図１において、本実施形態に係るシートである広告シート１は、左右の縦枠１０３間に上側パイプ１０１および下側パイプ１０２を配置して構成された支持体１００に紐状部材１２０を介して取り付けられている。支持体１００は、本実施形態では、上側パイプ１０１および下側パイプ１０２が左右の縦枠１０３に対して昇降可能に連結された懸垂装置として構成されており、建物１１０の外壁などに設置される。紐状部材１２０は、例えば紐、結束バンド、鋼線または銅線などによって構成されている。
【００１８】
広告シート１は、シート部材２と、シート部材２の上側縁部２１に沿って配置されたスライドファスナー３と、シート部材２の下側縁部２２に沿って配置されたスライドファスナー４とを有する。
シート部材２は、表面に広告等が表示された正面視矩形状の布製シートによって構成されている。
【００１９】
スライドファスナー３は、シート部材２の上側縁部２１に沿って配置されており、シート部材２の上側縁部２１とほぼ等しい長さを有する。スライドファスナー３は、上側の第一ファスナーストリンガー３１と、下側の第二ファスナーストリンガー３２と、第一ファスナーストリンガー３１および第二ファスナーストリンガー３２にスライド可能に連結したスライダー３３とを備えている。
【００２０】
第一ファスナーストリンガー３１は、第一テープ３１１と、第一テープ３１１の下側縁部に沿って設けられた第一エレメント列３１２と、第一テープ３１１の上側縁部を挟み込んで縫製された当布３１４とを備えている。
【００２１】
第二ファスナーストリンガー３２は、第二テープ３２１と、第二テープ３２１の上側縁部に沿って設けられた第二エレメント列３２２とを備えている。第二テープ３２１の下側縁部は、シート部材２の上側縁部２１に縫製によって取り付けられている。
【００２２】
第一エレメント列３１２および第二エレメント列３２２は、互いに噛合可能な複数の務歯（エレメント）を有している。また、第一テープ３１１には、箱棒および箱体３１６が設けられており、第二テープ３２１には、箱棒に対向して箱体３１６に挿入される蝶棒３２６が設けられている。この箱棒、箱体３１６および蝶棒３２６は、スライドファスナー３の開具を構成する。
【００２３】
スライダー３３は、第一エレメント列３１２および第二エレメント列３２２に沿ってスライド可能に配置されている。スライダー３３は、各エレメント列３１２，３２２の長手方向における一方側（本実施形態では図１の右側）に開放移動することにより、噛合状態の各エレメント列３１２，３２２を分離させる。また、スライダー３３は、各エレメント列３１２，３２２の長手方向における他方側（本実施形態では図１の左側）に閉鎖移動することにより、分離状態の各エレメント列３１２，３２２を噛合させる。
また、スライダー３３は、公知のロック機能を有している。例えば、スライダー３３は、引手を倒した時にはロックピンが各エレメント列３１２，３２２に引っかかって移動が規制される構成とされている。
【００２４】
スライドファスナー４は、スライドファスナー３と概略同様に構成されている。
具体的には、スライドファスナー４は、シート部材２の下側縁部２２に沿って配置されており、シート部材２の下側縁部２２とほぼ等しい長さを有する。スライドファスナー４は、下側の第一ファスナーストリンガー４１と、上側の第二ファスナーストリンガー４２と、第一ファスナーストリンガー４１および第二ファスナーストリンガー４２にスライド可能に連結したスライダー４３とを備えている。
【００２５】
第一ファスナーストリンガー４１は、第一テープ４１１と、第一テープ４１１の上側縁部に沿って設けられた第一エレメント列４１２と、第一テープ４１１の下側縁部を挟み込んで縫製された当布４１４とを備えている。
【００２６】
第二ファスナーストリンガー４２は、第二テープ４２１と、第二テープ４２１の下側縁部に沿って設けられた第二エレメント列４２２とを備えている。第二テープ４２１の上側縁部は、シート部材２の下側縁部２２に縫製によって取り付けられている。
【００２７】
第一エレメント列４１２および第二エレメント列４２２は、互いに噛合可能な複数の務歯（エレメント）を有している。また、第二テープ４２１には、箱棒および箱体４２６が設けられており、第一テープ４１１には、箱棒に対向して箱体４２６に挿入される蝶棒４１６が設けられている。この箱棒、箱体４２６および蝶棒４１６は、スライドファスナー４の開具を構成する。
【００２８】
スライダー４３は、第一エレメント列４１２および第二エレメント列４２２に沿ってスライド可能に配置されている。スライダー４３は、各エレメント列４１２，４２２の長手方向における一方側（本実施形態では図１の右側）に開放移動することにより、噛合状態の各エレメント列４１２，４２２を分離させる。また、スライダー４３は、各エレメント列４１２，４２２の長手方向における他方側（本実施形態では図１の左側）に閉鎖移動することにより、分離状態の各エレメント列４１２，４２２を噛合させる。
また、スライダー４３は、公知のロック機能を有している。例えば、スライダー４３は、引手を倒した時にはロックピンが各エレメント列４１２，４２２に引っかかって移動が規制される構成とされている。
【００２９】
スライドファスナー３，４において、当布３１４，４１４には、その長手方向に沿って並んだ複数の孔３１５，４１５が形成されており、複数の孔３１５，４１５には環状部材としてのハトメ７がそれぞれ設けられている。ハトメ７は、金属製や樹脂製によって円環状に形成されており、複数の孔３１５，４１５の周縁部を補強している。ハトメ７の孔７１は、紐状部材１２０が挿通可能な径を有している。
【００３０】
図２では、スライドファスナー３，４をそれぞれ全開させ、各エレメント列３１２，３２２，４１２，４２２が完全に分離した状態の広告シート１を示している。この分離状態において、広告シート１は、上側取付部１１、シート本体部１２、および、下側取付部１３という３つの部品に分離されている。
ここで、上側取付部１１は、スライドファスナー３の第一ファスナーストリンガー３１およびスライダー３３を備えている。シート本体部１２は、スライドファスナー３の第二ファスナーストリンガー３２と、シート部材２と、スライドファスナー４の第二ファスナーストリンガー４２およびスライダー４３とを備えている。下側取付部１３は、スライドファスナー４の第一ファスナーストリンガー４１を備えている。
【００３１】
［本実施形態の使用方法］
以下、本実施形態に係る広告シート１の使用方法について説明する。
まず、スライドファスナー３，４がそれぞれ全閉した状態の広告シート１を準備する。次に、スライドファスナー３のハトメ７を挿通した紐状部材１２０を上側パイプ１０１に結び付け、スライドファスナー４のハトメ７を挿通した紐状部材１２０を下側パイプ１０２に結び付ける。これにより、広告シート１が支持体１００に取り付けられる。
【００３２】
図１に示すように支持体１００に取り付けられた状態の広告シート１のシート部材２を交換する場合には、スライダー３３，４３をそれぞれ開放移動させる。図３ではスライダー４３を開放移動させた途中の状態を示している。続いて、スライダー３３，４３の開放移動によってスライドファスナー３，４を全開させ、広告シート１を上側取付部１１、シート本体部１２および下側取付部１３に分離させる。そして、上側取付部１１および下側取付部１３から分離させたシート部材２を含むシート本体部１２を支持体１００から取り外す。このとき、上側取付部１１および下側取付部１３は、支持体１００に取り付けられた状態のままである。
【００３３】
その後、新たな広告内容が表示されたシート部材２を含むシート本体部１２を準備する。次に、新たなシート本体部１２を、既に支持体１００に取り付けられている上側取付部１１および下側取付部１３に対して、スライドファスナー３，４をそれぞれ閉めることによって取り付ける。このようにして、広告シート１のシート部材２の交換を行う。
【００３４】
なお、最初に広告シート１を支持体１００に取り付ける際には、スライドファスナー３，４がそれぞれ全開した状態の広告シート１を準備してもよい。この場合、上側取付部１１のハトメ７を挿通した紐状部材１２０を上側パイプ１０１に結び付け、下側取付部１３のハトメ７を挿通した紐状部材１２０を下側パイプ１０２に結び付ける。その後、スライドファスナー３，４をそれぞれ閉めることによって、シート本体部１２を上側取付部１１と下側取付部１３とに取り付ける。このようにして、広告シート１を支持体１００に取り付ける。
【００３５】
［本実施形態の効果］
（１）前記実施形態では、広告シート１は、シート部材２と、スライドファスナー３，４とを備えている。スライドファスナー３，４は、第一エレメント列３１２，４１２を有した第一ファスナーストリンガー３１，４１と、第二エレメント列３２２，４２２を有した第二ファスナーストリンガー３２，４２と、第一エレメント列３１２，４１２および第二エレメント列３２２，４２２に取り付けられたスライダー３３，４３とを備え、第一ファスナーストリンガー３１，４１のみに、その長手方向に沿って配置された複数のハトメ７が設けられ、第二ファスナーストリンガー３２，４２は、シート部材２の縁部２１，２２に沿って取り付けられている。
上記構成を有するため、ハトメ７に紐状部材１２０を通してパイプ等の支持体１００に取り付けた後、シート部材２を着脱または交換するために、紐状部材１２０に対する作業が不要になる。すなわち、スライダー３３，４３をスライドさせることによって、第一エレメント列３１２，４１２と第二エレメント列３２２，４２２とが互いに噛合または分離するため、シート部材２を簡単に着脱または交換できる。よって、着脱や交換のたびに紐等を結んだりほどいたりするよりも、シート部材２の着脱や交換作業を短時間で行うことができる。
さらに、本実施形態では、以下の各効果を発揮できる。
【００３６】
（２）前記実施形態では、第一ファスナーストリンガー３１，４１は、第一エレメント列３１２，４１２が取り付けられた第一テープ３１１，４１１と、第一テープ３１１，４１１に取り付けられた当布３１４，４１４とを備え、複数のハトメ７は、当布３１４，４１４に設けられている。
このため、スライダー３３，４３のスライドのために好適な柔軟性を第一テープ３１１，４１１に確保しつつ、ハトメ７を設けるために好適な強度を当布３１４，４１４に確保することができる。また、広告シート１を支持体１００に取り付ける際の強度を向上させることができる。
【００３７】
（３）前記実施形態では、第一ファスナーストリンガー３１，４１および第二ファスナーストリンガー３２，４２のうち、一方には箱棒および箱体３１６，４２６が設けられており、他方には蝶棒３２６，４１６が設けられている。
これらの箱棒、箱体３１６，４２６および蝶棒３２６，４１６は、スライドファスナー３，４の開具を構成するため、第一エレメント列３１２，４１２と第二エレメント列３２２，４２２との噛合または分離が好適に行われる。
また、特に、本実施形態では、スライドファスナー３では箱体３１６が第一ファスナーストリンガー３１に設けられており、スライドファスナー４では箱体４２６が第二ファスナーストリンガー４２に設けられている。このため、スライドファスナー３およびスライドファスナー４において、スライダー３３，４３の開放移動および閉鎖移動の各移動方向が等しい。よって、シート部材２の着脱作業を容易に行うことができる。
【００３８】
（４）前記実施形態では、シート部材２が正面視矩形状であり、第二ファスナーストリンガー３２，４２は、シート部材２の上下の２辺に取り付けられている。このため、広告シート１は、汎用性の高い形状を有しつつ、その取り付け強度を確保することができる。
【００３９】
（５）前記実施形態では、初めに紐状部材１２０を結ぶ作業をしっかりと行っておくことで、その後のシート部材２の交換等において、シート部材２の取り付け作業にハトメ７毎のばらつきが生じることはない。このため、シート部材２を均一に張ることが容易になる。また、紐状部材１２０を何度も結びなおすことによる結び忘れ等が発生せず、広告シート１を確実に取り付けることができる。
【００４０】
（６）前記実施形態では、ハトメ７を挿通する紐状部材１２０を介して支持体１００に結び付けられる。このため、取り付けの強度や取り付け方法の柔軟性など、ハトメ７と紐状部材１２０を利用する取付方法のメリットについては、従来と同様に確保することができる。例えば、支持体１００を構成する上側パイプ１０１および下側パイプ１０２において、ハトメ７の近接部位にパイプの継ぎ目等があっても、紐状部材１２０の結び方を調整して問題なく取り付けることができる。
【００４１】
（７）前記実施形態では、シート部材２および第二ファスナーストリンガー３２，４２を含むシート本体部１２を交換用に新たに準備するとしても、第一ファスナーストリンガー３１，４１を含む上側取付部１１および下側取付部１３は共通部品として使用を続けることができる。言い換えると、シート部材２およびシート部材２に取り付けられた第二ファスナーストリンガー３２，４２のみを含むシート本体部１２を、交換用パーツとして製造することができる。
【００４２】
［変形例］
本考案は、以上の実施形態で説明した構成のものに限定されず、本考案の目的を達成できる範囲での変形例は、本考案に含まれる。
【００４３】
図４（Ａ）〜（Ｃ）は、スライドファスナー４の変形例を示している。
前記実施形態では、スライドファスナー４の第二テープ４２１は、シート部材２に縫製されているが、これに限られず、例えば図４（Ａ）に示すスライドファスナー４Ａのように、第二テープ４２１に熱可塑性のフィルム４２７が貼られていてもよい。この場合、第二テープ４２１のフィルム４２７にシート部材２を重ね、フィルム４２７を高周波溶着することで、第二テープ４２１をシート部材２に取り付けることができる。このように、フィルム４２７によって第二ファスナーストリンガー４２をシート部材２に溶着することで、縫製する場合と比べて、第二ファスナーストリンガー４２のシート部材２への取り付け作業を短時間で行うことができる。
また、図示しないが、第二テープ４２１を接着剤によってシート部材２に接着してもよい。
【００４４】
前記実施形態では、スライドファスナー４は当布４１４を備えていたが、これに限られず、例えば図４（Ｂ）に示すスライドファスナー４Ｂのように、当布４１４の構成を省略してもよい。この場合、第一テープ４１１には、その長手方向に沿って並んだ複数の孔４１８が形成され、これらの孔４１８にハトメ７がそれぞれ設けられる。また、この場合、第一テープ４１１のテープ幅Ｄ１は、ハトメ７の直径Ｄ２の２倍以下である。このような構成によれば、前記実施形態よりも、第一ファスナーストリンガー４１の幅を狭く収めることができ、広告シート１において広告の表示されるシート部材２の割合を大きくとることができる。
【００４５】
前記実施形態では、スライドファスナー４は円環状のハトメ７を備えているが、これに限られず、例えば図４（Ｃ）に示すスライドファスナー４Ｃのように、正面視長方形の環状を成すハトメ７Ｃを備えていてもよい。この場合、紐状部材１２０として平紐状の結束バンドを好適に用いることができる。なお、図４（Ｃ）に示す例では、図４（Ｂ）に示す例と同様、ハトメ７Ｃが第一テープ４１１に設けられている。
【００４６】
また、図４（Ａ）〜（Ｃ）に示されるスライドファスナー４の変形例と同様に、前記実施形態のスライドファスナー３を変形することもできる。
【００４７】
前記実施形態では、シート部材２の上側縁部２１および下側縁部２２にスライドファスナー３，４が取り付けられているが、本考案はこれに限られない。例えば、シート部材２の左右の両縁部にスライドファスナーが取り付けられていてもよい。また、シート部材２の３辺または４辺の各縁部に、三つまたは四つのスライドファスナーが取り付けられていてもよい。また、シート部材２の３辺または４辺の各縁部に、連続する１つのスライドファスナーが取り付けられていてもよい。
また、前記実施形態のシート部材２は正面視矩形状であるが、本考案はこれに限定されず、シート部材２の形状は適宜変更可能である。この場合、スライドファスナーは、シート部材の外周の一部に取り付けられていればよい。
【００４８】
前記実施形態では、当布３１４，４１４は、第一テープ３１１，４１１に縫製されているが、これに限られず、熱可塑性フィルムを用いた高周波溶着や、接着剤などによって取り付けられていてもよい。
また、当布３１４，４１４は、第一テープ３１１，４１１の縁部を挟みこむことに限られず、単に第一テープ３１１，４１１に重ねられてもよい。
また、当布３１４，４１４において、第一テープ３１１，４１１の取付側とは反対側の縁部とハトメ７との間に、紐、ロープ、またはワイヤー等からなる芯紐を入れてもよい。これにより、当布３１４，４１４の強度を向上させることができる。
【００４９】
前記実施形態では、スライダー３３，４３がロック機能を有しているが、ロック機能を有していない自由スライダーであってもよい。この場合、自由スライダーの引き手の孔に紐を通し、この紐を支持体１００に結び付け、自由スライダーが勝手に開かない様にすることもできる。
【００５０】
前記実施形態において、スライドファスナー３，４には、各エレメント列３１２，３２２，４１２，４２２を覆うフラップ（図示省略）がさらに設けられていてもよい。このようなフラップは、スライドファスナー３，４ではなく、シート部材２に設けられ、シート部材２から延びるフラップが各エレメント列３１２，３２２，４１２，４２２を覆う構成とされてもよい。この構成によれば、各エレメント列３１２，３２２，４１２，４２２を日光から遮り、その劣化を抑制することができる。
【００５１】
前記実施形態では、広告シート１をシートとして説明したが、このほか、建築現場で用いられる養生シートであってもよい。この場合、養生シートは、前記実施形態に係る広告シート１と同様、シート部材と、その縁部に配置されたスライドファスナーとを備えて構成される。この養生シートは、スライドファスナーに設けられたハトメを挿通する紐状部材を介して、足場等の支持体に取り付けられる。
この場合においても、前記実施形態と同様の効果が得られる。すなわち、足場等の支持体へのシート部材の着脱を短時間で行うことができる。
【００５２】
また、養生シートのシート部材の３辺の縁部にハトメ付のスライドファスナーが取り付けられ、シート部材の残り１辺の縁部には直接ハトメが設けられていてもよい。
このような構成によれば、養生シートは、シート部材の４辺のハトメを介して支持体に取り付けられる。また、必要に応じてシート部材の３辺のスライドファスナーを開くことで、シート部材を折り畳むことができる。これにより、養生シートの取付強度を確保しつつ、養生シートの開放作業の負担を軽減することができる。
【符号の説明】
【００５３】
１…広告シート、２…シート部材、３，４…スライドファスナー、１２…シート本体部、３１，４１…第一ファスナーストリンガー、３１１，４１１…第一テープ、３１２，４１２…第一エレメント列、３１４，４１４…当布、３２，４２…第二ファスナーストリンガー、３２１，４２１…第二テープ、３２２，４２２…第二エレメント列、３３，４３…スライダー、７…ハトメ、１００…支持体、１２０…紐状部材。
【図１】
0003210143.tif 000003
【図２】
0003210143.tif 000004
【図３】
0003210143.tif 000005
【図４】
0003210143.tif 000006